(57)【要約】【課題】従来の駐車料金精算装置においては、駐車チケット等の支払媒体を使用して駐車料金を支払う場合に、ユーザフレンドリーな支払が出来ていなかったという課題があった。【解決手段】駐車料金の支払いのための媒体であり、一の金額の価値を有する媒体である支払媒体、および支払媒体に対応する価値から駐車料金分の価値を差し引いた金額に対応する価値である蓄積価値を蓄積する媒体である蓄積媒体を受け付ける受付部１１と、一の車両の駐車時間に応じた駐車料金に関する情報である消費情報を取得する消費情報取得部１２と、支払媒体の価値から消費情報の価値を差し引いて、蓄積価値を取得する蓄積価値取得部１３と、蓄積価値を蓄積媒体に追記する端末出力部端末出力部とを具備する駐車料金精算装置１により、駐車チケット等の支払媒体を使用して駐車料金を支払う場合に、ユーザフレンドリーな支払方法が実現できる。【選択図】図１
2015041192.tif 000002
【特許請求の範囲】
【請求項１】
駐車料金の支払いのための媒体であり、一の金額の価値を有する媒体である支払媒体、および当該支払媒体に対応する価値から駐車料金分の価値を差し引いた金額に対応する価値である蓄積価値を蓄積する媒体または蓄積先を特定する媒体であるユーザ媒体を受け付ける受付部と、
一の車両の駐車時間に応じた駐車料金に関する情報である消費情報を取得する消費情報取得部と、
前記支払媒体の価値から前記消費情報が価値を差し引いて、蓄積価値を取得する蓄積価値取得部と、
前記ユーザ媒体を用いて、前記蓄積価値を出力する端末出力部とを具備する駐車料金精算装置。
【請求項２】
請求項１記載の駐車料金精算装置とサーバ装置とを具備する駐車料金精算システムを構成する請求項１記載の駐車料金精算装置であって、
前記ユーザ媒体は、
当該ユーザ媒体を識別する識別子を格納しており、
前記端末出力部は、
前記ユーザ媒体に格納されている識別子と、前記蓄積価値とを有する蓄積情報を、サーバ装置に送信し、
前記サーバ装置は、
識別子と駐車料金に対応する価値を示す価値情報とを有する１以上の個別価値情報を格納し得るサーバ格納部と、
前記駐車料金精算装置から蓄積情報を受信するサーバ受信部と、
前記サーバ受信部が受信した蓄積情報が有する識別子に対応する価値情報として、当該蓄積情報が有する蓄積価値を前記サーバ格納部に蓄積するサーバ蓄積部とを具備する駐車料金精算システムを構成する請求項１記載の駐車料金精算装置。
【請求項３】
前記受付部がユーザ媒体を受け付けた場合であり、蓄積されている価値情報を消費する場合に、
前記端末出力部は、
前記ユーザ媒体に格納されている識別子と前記消費情報とを有する消費関連情報とを前記サーバ装置に送信し、
前記サーバ受信部は、
前記駐車料金精算装置から前記消費関連情報を受信し、
前記サーバ装置は、
前記サーバ受信部が受信した消費関連情報が有する識別子と対になる価値情報と、前記消費関連情報が有する消費情報とから、駐車料金の精算処理を行ない、当該精算処理の結果である精算結果を、前記識別子と対にして、前記サーバ格納部に蓄積するサーバ処理部をさらに具備する駐車料金精算システムを構成する請求項２記載の駐車料金精算装置。
【請求項４】
前記受付部は、
駐車料金の支払いのための媒体であり、一の金額の価値を有する媒体である支払媒体、および当該支払媒体に対応する価値から駐車料金分の価値を差し引いた金額に対応する価値である蓄積価値を蓄積するユーザ媒体である蓄積媒体を受け付け、
前記端末出力部は、
前記蓄積価値を前記蓄積媒体に追記する請求項１記載の駐車料金精算装置。
【請求項５】
前記受付部は、
駐車場への入場時に入場時刻が記録された駐車券をも受け付け、
前記消費情報取得部は、
現在時刻を取得する現在時刻取得手段と、
前記駐車券に記録された入場時刻を取得する入場時刻取得手段と、
前記現在時刻と前記入場時刻との差を算出し、駐車していた時間に関する時間情報を取得する時間取得手段と、
前記時間情報を用いて、消費情報を取得する消費情報取得手段とを具備する請求項１から請求項４いずれか一項に記載の駐車料金精算装置。
【請求項６】
前記端末出力部は、
前記蓄積価値を、当該蓄積価値の利用期限を示す利用期限情報と対にして出力する請求項１から請求項５いずれか一項に記載の駐車料金精算装置。
【請求項７】
前記支払媒体には、利用期限情報が記録されており、
前記端末出力部は、
前記支払媒体に記録されている利用期限情報を取得する利用期限取得手段と、
前記蓄積価値を、当該蓄積価値の利用期限を示す利用期限情報と対にして出力する端末出力手段とを具備する請求項３記載の駐車料金精算装置。
【請求項８】
前記支払媒体は、
駐車場で利用可能なチケット、または現金である請求項１から請求項７いずれか一項に記載の駐車料金精算装置。
【請求項９】
前記蓄積媒体は、
ポイントカードである請求項４から請求項８いずれか一項に記載の駐車料金精算装置。
【請求項１０】
前記消費情報取得部は、
１秒または1分単位で駐車料金を課金して、消費情報を取得する請求項１から請求項９いずれか一項に記載の駐車料金精算装置。
【請求項１１】
受付部、消費情報取得部、蓄積価値取得部、および端末出力部により実現され得る駐車料金精算方法であって、
前記受付部が、駐車料金の支払いのための媒体であり、一の金額の価値を有する媒体である支払媒体、および当該支払媒体に対応する価値から駐車料金分の価値を差し引いた金額に対応する価値である蓄積価値を蓄積する媒体または蓄積先を特定する媒体であるユーザ媒体を受け付ける受付ステップと、
前記消費情報取得部が、一の車両の駐車時間に応じた駐車料金に関する情報である消費情報を取得する消費情報取得ステップと、
前記蓄積価値取得部が、前記支払媒体の価値から前記消費情報が価値を差し引いて、蓄積価値を取得する蓄積価値取得ステップと、
前記端末出力部が、前記ユーザ媒体を用いて、前記蓄積価値を出力する端末出力ステップとを具備する駐車料金精算方法。
【請求項１２】
前記ユーザ媒体は、
当該ユーザ媒体を識別する識別子を格納しており、
前記端末出力ステップにおいて、
前記ユーザ媒体に格納されている識別子と、前記蓄積価値とを有する蓄積情報を、サーバ装置に送信する請求項１１記載の駐車料金精算方法。
【請求項１３】
前記受付ステップにおいて、
駐車料金の支払いのための媒体であり、一の金額の価値を有する媒体である支払媒体、および当該支払媒体に対応する価値から駐車料金分の価値を差し引いた金額に対応する価値である蓄積価値を蓄積するユーザ媒体である蓄積媒体を受け付け、
前記端末出力ステップにおいて、
前記蓄積価値を前記蓄積媒体に追記する請求項１１記載の駐車料金精算方法。
【請求項１４】
コンピュータを、
駐車料金の支払いのための媒体であり、一の金額の価値を有する媒体である支払媒体、および当該支払媒体に対応する価値から駐車料金分の価値を差し引いた金額に対応する価値である蓄積価値を蓄積する媒体または蓄積先を特定する媒体であるユーザ媒体を受け付ける受付部と、
一の車両の駐車時間に応じた駐車料金に関する情報である消費情報を取得する消費情報取得部と、
前記支払媒体の価値から前記消費情報が価値を差し引いて、蓄積価値を取得する蓄積価値取得部と、
前記ユーザ媒体を用いて、前記蓄積価値を出力する端末出力部として機能させるためのプログラム。
【請求項１５】
前記ユーザ媒体は、
当該ユーザ媒体を識別する識別子を格納しており、
前記端末出力部は、
前記ユーザ媒体に格納されている識別子と、前記蓄積価値とを有する蓄積情報を、サーバ装置に送信するものとして、コンピュータを機能させるための請求項１４記載のプログラム。
【請求項１６】
前記受付部は、
駐車料金の支払いのための媒体であり、一の金額の価値を有する媒体である支払媒体、および当該支払媒体に対応する価値から駐車料金分の価値を差し引いた金額に対応する価値である蓄積価値を蓄積するユーザ媒体である蓄積媒体を受け付け、
前記端末出力部は、
前記蓄積価値を前記蓄積媒体に追記するものとして、コンピュータを機能させるための請求項１４記載のプログラム。
【発明の詳細な説明】
【技術分野】
【０００１】
本発明は、駐車場の料金を精算する駐車料金精算装置等に関するものである。
【背景技術】
【０００２】
従来、デパートやショッピングモール等の店舗での利用額に応じて割引される駐車場利用料金を算出するシステムがあった。（例えば、特許文献１参照）。
【先行技術文献】
【特許文献】
【０００３】
【特許文献１】特開２００４−２４０６１７号公報（第１頁、第１図等）
【発明の概要】
【発明が解決しようとする課題】
【０００４】
しかしながら、従来技術においては、駐車チケット等の支払媒体を使用して駐車料金を支払う場合に、ユーザフレンドリーな支払が出来ていなかった。
【課題を解決するための手段】
【０００５】
本第一の発明の駐車料金精算装置は、駐車料金の支払いのための媒体であり、一の金額の価値を有する媒体である支払媒体、および支払媒体に対応する価値から駐車料金分の価値を差し引いた金額に対応する価値である蓄積価値を蓄積する媒体または蓄積先を特定する媒体であるユーザ媒体を受け付ける受付部と、一の車両の駐車時間に応じた駐車料金に関する情報である消費情報を取得する消費情報取得部と、支払媒体の価値から消費情報が価値を差し引いて、蓄積価値を取得する蓄積価値取得部と、ユーザ媒体を用いて、蓄積価値を出力する端末出力部とを具備する駐車料金精算装置である。
【０００６】
かかる構成により、駐車チケット等の支払媒体を使用して駐車料金を支払う場合に、ユーザフレンドリーな支払方法が実現できる。
【０００７】
また、本第二の発明の駐車料金精算装置は、第一の発明に対して、駐車料金精算装置とサーバ装置とを具備する駐車料金精算システムを構成する駐車料金精算装置であって、ユーザ媒体は、ユーザ媒体を識別する識別子を格納しており、端末出力部は、ユーザ媒体に格納されている識別子と、蓄積価値とを有する蓄積情報を、サーバ装置に送信し、サーバ装置は、識別子と駐車料金に対応する価値を示す価値情報とを有する１以上の個別価値情報を格納し得るサーバ格納部と、駐車料金精算装置から蓄積情報を受信するサーバ受信部と、サーバ受信部が受信した蓄積情報が有する識別子に対応する価値情報として、蓄積情報が有する蓄積価値をサーバ格納部に蓄積するサーバ蓄積部とを具備する駐車料金精算システムを構成する駐車料金精算装置である。
【０００８】
かかる構成により、駐車チケット等の支払媒体を使用して駐車料金を支払う場合に、ユーザフレンドリーな支払方法が実現できる。
【０００９】
また、本第三の発明の駐車料金精算装置は、第二の発明に対して、受付部がユーザ媒体を受け付けた場合であり、蓄積されている価値情報を消費する場合に、端末出力部は、ユーザ媒体に格納されている識別子と消費情報とを有する消費関連情報とをサーバ装置に送信し、サーバ受信部は、駐車料金精算装置から消費関連情報を受信し、サーバ装置は、サーバ受信部が受信した消費関連情報が有する識別子と対になる価値情報と、消費関連情報が有する消費情報とから、駐車料金の精算処理を行ない、精算処理の結果である精算結果を、識別子と対にして、サーバ格納部に蓄積するサーバ処理部をさらに具備する駐車料金精算システムを構成する駐車料金精算装置である。
【００１０】
かかる構成により、蓄積した価値を消費できる。
【００１１】
また、本第四の発明の駐車料金精算装置は、第一の発明に対して、受付部は、駐車料金の支払いのための媒体であり、一の金額の価値を有する媒体である支払媒体、および支払媒体に対応する価値から駐車料金分の価値を差し引いた金額に対応する価値である蓄積価値を蓄積するユーザ媒体である蓄積媒体を受け付け、端末出力部は、蓄積価値を蓄積媒体に追記する駐車料金精算装置である。
【００１２】
かかる構成により、駐車チケット等の支払媒体を使用して駐車料金を支払う場合に、ユーザフレンドリーな支払方法が実現できる。
【００１３】
また、本第五の発明の駐車料金精算装置は、第一から第四いずれかの発明に対して、受付部は、駐車場への入場時に入場時刻が記録された駐車券をも受け付け、消費情報取得部は、現在時刻を取得する現在時刻取得手段と、駐車券に記録された入場時刻を取得する入場時刻取得手段と、現在時刻と入場時刻との差を算出し、駐車していた時間に関する時間情報を取得する時間取得手段と、時間情報を用いて、消費情報を取得する消費情報取得手段とを具備する駐車料金精算装置である。
【００１４】
かかる構成により、駐車チケット等の支払媒体を使用して駐車料金を支払う場合に、ユーザフレンドリーな支払方法が実現できる。
【００１５】
また、本第六の発明の駐車料金精算装置は、第一から第五いずれかの発明に対して、端末出力部は、蓄積価値を、蓄積価値の利用期限を示す利用期限情報と対にして出力する駐車料金精算装置である。
【００１６】
かかる構成により、蓄積する価値に有効期限を付加することができる。
【００１７】
また、本第七の発明の駐車料金精算装置は、第三の発明に対して、支払媒体には、利用期限情報が記録されており、端末出力部は、支払媒体に記録されている利用期限情報を取得する利用期限取得手段と、蓄積価値を、蓄積価値の利用期限を示す利用期限情報と対にして出力する端末出力手段とを具備する駐車料金精算装置である。
【００１８】
かかる構成により、有効期限を有する支払媒体を使用して駐車料金を支払う場合でも、ユーザフレンドリーな支払方法が実現できる。
【００１９】
また、本第八の発明の駐車料金精算装置は、第一から第七いずれかの発明に対して、支払媒体は、駐車場で利用可能なチケット、または現金である駐車料金精算装置である。
【００２０】
かかる構成により、駐車チケットまたは現金を使用して駐車料金を支払う場合に、ユーザフレンドリーな支払方法が実現できる。
【００２１】
また、本第九の発明の駐車料金精算装置は、第四から第八いずれかの発明に対して、蓄積媒体は、ポイントカードである駐車料金精算装置である。
【００２２】
かかる構成により、駐車場を利用して余った分をポイントカードに蓄積できる。
【発明の効果】
【００２３】
本発明による駐車料金精算装置によれば、駐車チケット等の支払媒体を使用して駐車料金を支払う場合に、ユーザフレンドリーな支払方法が実現できる。
【図面の簡単な説明】
【００２４】
【図１】実施の形態１における駐車料金精算装置１の外観図
【図２】同駐車料金精算装置１のブロック図
【図３】同駐車料金精算装置１の動作について説明するフローチャート
【図４】同駐車サービス券を示す図
【図５】同蓄積媒体を示す図
【図６】同ポイントカードを示す図
【図７】同ポイントカードを示す図
【図８】実施の形態２における料金精算装置２のブロック図
【図９】同料金精算装置２の動作について説明するフローチャート
【図１０】実施の形態３における駐車料金精算システム３のブロック図
【図１１】同駐車料金精算装置３１の動作について説明するフローチャート
【図１２】同サーバ装置３２の動作について説明するフローチャート
【図１３】同個別価値情報管理表を示す図
【図１４】実施の形態４における料金精算システム４のブロック図
【図１５】同料金精算装置４１の動作について説明するフローチャート
【図１６】次サーバ装置４２の動作について説明するフローチャート
【図１７】上記実施の形態におけるコンピュータシステムの概観図
【図１８】同コンピュータシステムのブロック図
【発明を実施するための形態】
【００２５】
以下、駐車料金精算装置等の実施形態について図面を参照して説明する。なお、実施の形態において同じ符号を付した構成要素は同様の動作を行うので、再度の説明を省略する場合がある。
【００２６】
（実施の形態１）
本実施の形態において、駐車場から出庫する際に、駐車チケットまたは現金等の支払媒体、および余った料金分を蓄積するユーザ媒体を受け付け、駐車料金を算出し、支払媒体に対応する価値から駐車料金を差し引いて残った金額に対応するポイント等をユーザ媒体に蓄積する駐車料金精算装置について説明する。
【００２７】
また、本実施の形態において、蓄積媒体に蓄積するポイント等が有効期限情報を有する場合についても説明する。
【００２８】
また、本実施の形態において、駐車場から出庫する際に、駐車券も受け付ける駐車料金精算装置について説明する。
【００２９】
図１は、本実施の形態における駐車料金精算装置１の外観図である。駐車料金精算装置１は、駐車場の出口での料金精算機でも良いし、事前精算機等でも良い。また、駐車料金精算装置１は、通常、自動車の駐車場で使用される料金精算装置であるが、バイクや自転車等の他の移動体の駐車場で使用される料金精算装置であっても良い。つまり、駐車料金精算装置１の種類は問わない。また、移動体は、以下で、適宜、車両とも言う。
【００３０】
図２は、本実施の形態における駐車料金精算装置１のブロック図である。駐車料金精算装置１は、制御部１０、受付部１１、消費情報取得部１２、蓄積価値取得部１３、および端末出力部端末出力部１４を備える。
【００３１】
また、消費情報取得部１２は、例えば、入場時刻取得手段１２１、現在時刻取得手段１２２、時間取得手段１２３、および消費情報取得手段１２４を備える。端末出力部端末出力部１４は、例えば、利用期限取得手段１４１、および端末出力手段１４２を備える。
【００３２】
制御部１０は、駐車料金精算装置１、または駐車場のゲート等を含む駐車場システムの制御を行う。制御とは、例えば、以下である。第一に、自動車等の移動体を検知し、ゲートを開くための指示をゲートに対して行うことである。また、第二に、移動体の入庫時に、当該移動体の入場番号や入場時刻を駐車券に書き込み、当該駐車券を出力することである。また、第三に、駐車料金の精算等の出庫時の処理完了を検知し、ゲートを開くための指示をゲートに対して行うことである。なお、入庫は入場と同意義であり、出庫は出場と同意義である、と考える。
【００３３】
受付部１１は、支払媒体とユーザ媒体とを受け付ける。また、受付部１１は、支払媒体とユーザ媒体と駐車券とを受け付けても良い。なお、支払媒体とは、駐車料金の支払いのための媒体であり、一の金額の価値を有する媒体である。支払媒体は、駐車場チケット、現金などである。また、現金は、通常、紙幣または硬貨である。駐車場チケットは、無料になる駐車時間が記録されているものでも良いし、駐車場利用のための料金が記録されているものでも良い。つまり、駐車場チケットは、例えば、Ｎ時間（Ｎは正の数）の無料券であり、無料の時間や金額に対応する価値が蓄積されている駐車場で利用可能なチケットである。支払媒体は、利用期限を示す利用期限情報が記録されていても良い。
【００３４】
また、ユーザ媒体は、ユーザが所有する媒体であり、駐車チケットまたは現金等の支払媒体で駐車可能な時間に対して、駐車時間が短かった場合に、余った料金分を、再利用可能にするための媒体である。ユーザ媒体は、例えば、蓄積媒体または識別子格納媒体である。蓄積媒体とは、支払媒体に対応する価値から駐車料金分の価値を差し引いた金額に対応する価値である蓄積価値を蓄積する媒体である。蓄積媒体には、通常、再利用可能なポイントや金額等が記憶される。なお、再利用とは、通常、駐車料金としての再利用である。なお、蓄積価値とは、上記の余った料金分である、とも言える。  また、蓄積媒体は、支払媒体に対応する価値から駐車料金分の価値を差し引いた金額に対応する価値である蓄積価値を蓄積する媒体である。蓄積媒体は、例えば、ポイントカード、ＩＣカードなどである。駐車券は、駐車場で発行された券であり、通常、駐車場の利用開始時刻が蓄積されている。
【００３５】
また、識別子格納媒体とは、支払媒体に対応する価値から駐車料金分の価値を差し引いた金額に対応する価値である蓄積価値の蓄積先を特定する媒体である。識別子格納媒体は、通常、蓄積先を特定する識別子が格納されている。識別子は、識別子格納媒体の所有者を識別する情報でも良いし、識別子格納媒体を識別する情報等でも良い。
【００３６】
ここで、受け付けとは、通常、駐車料金精算装置１の投入口への投入であるが、支払媒体や駐車券等の情報の読み込みや、外部の装置からの情報受信等を含む概念である。
【００３７】
消費情報取得部１２は、一の車両の駐車時間に応じた駐車料金に関する情報である消費情報を取得する。消費情報は、駐車した時間を示す駐車時間でも、駐車料金でも良い。また、消費情報は、駐車時間または駐車料金に対応する情報でも良い。
【００３８】
また、消費情報取得部１２は、駐車場入場時に発行した駐車券に記載された時刻と出場時に時刻との差を算出し、駐車時間または駐車料金を取得しても良い。
【００３９】
また、消費情報取得部１２は、入場時に車両のナンバープレートの番号（識別子と言っても良い。）を読み取り、かつ、入場時刻を図示しない時計等から取得し、当該番号と入場時刻とを対応付けて、図示しない記録媒体に蓄積する。そして、消費情報取得部１２は、車両の出場時に車両のナンバープレートの番号を読み取り、かつ、出場時刻を図示しない時計等から取得し、出場時に読み取った番号と一致する番号と対になる入場時刻を取得する。そして、消費情報取得部１２は、出場時刻と入場時刻との差を算出し、駐車時間または駐車料金を取得しても良い。
【００４０】
入場時刻取得手段１２１は、駐車券に記録された入場時刻を取得する。入場時刻取得手段１２１は、上述したように、出場時に読み取ったナンバープレートの番号と対になる入場時刻を図示しない記録媒体から取得しても良い。
【００４１】
現在時刻取得手段１２２は、図示しない時計、またはＮＴＰサーバ等から現在時刻を取得する。
【００４２】
時間取得手段１２３は、現在時刻と入場時刻との差を算出し、駐車していた時間に関する時間情報を取得する。
【００４３】
消費情報取得手段１２４は、時間情報を用いて、消費情報を取得する。消費情報は、金額を示す情報でも、時間を示す情報でも良い。つまり、消費情報は、価値を特定する情報であれば良い。消費情報が時間を示す情報である場合、消費情報取得手段１２４は、時間取得手段１２３が取得した時間情報をそのまま取得する、または消費情報取得手段１２４は不要である。消費情報が金額を示す情報である場合、消費情報取得手段１２４は、時間取得手段１２３が取得した時間情報から料金を算出する。消費情報取得手段１２４は、例えば、１秒、または１分、または５分、または１０分等の少ない時間の単位で、駐車した時間分の料金を算出することは好適である。なお、例えば、１０分単位で料金を算出する場合であり、１０分を超えた分（例えば、１６分のうちの６分）について、消費情報取得手段１２４は、切り上げても、切り下げても、四捨五入しても良い。また、料金は、駐車した時間帯により、その単価が異なっていても良いことは言うまでもない。消費情報が料金である場合、消費情報取得手段１２４は、通常、駐車時間をパラメータとする増加関数により、駐車料金を算出する。なお、消費情報取得手段１２４は、通常、駐車時間から駐車料金を算出するための演算式、または料金表等の情報を保持しており、かかる情報を用いて、駐車時間から駐車料金を算出する。なお、消費情報取得手段１２４における消費情報の取得方法のバリエーションは、他の実施の形態における消費情報の取得方法2も該当し得る。
【００４４】
蓄積価値取得部１３は、支払媒体の価値から消費情報の価値を差し引いて、蓄積価値を取得する。蓄積価値とは、例えば、支払媒体が有する残りの価値を示すポイント、金額、時間などである。
【００４５】
端末出力部端末出力部１４は、ユーザ媒体を用いて、蓄積価値取得部１３が取得した蓄積価値を出力する。ここで、出力とは、ユーザ媒体への蓄積、サーバ装置への送信などである。つまり、端末出力部１４は、例えば、蓄積価値取得部１３が取得した蓄積価値を蓄積媒体に追記する。端末出力部端末出力部１４は、蓄積価値を、当該蓄積価値の利用期限を示す利用期限情報と対にして、蓄積媒体に追記することは好適である。端末出力部端末出力部１４は、支払媒体に記録されている利用期限情報を読み取り、当該利用期限情報と蓄積価値とを対にして、蓄積媒体に追記することは好適である。また、端末出力部端末出力部１４は、利用期限情報を図示しない記録媒体から読み取る、または利用期限情報を生成し、当該利用期限情報と蓄積価値とを対にして、蓄積媒体に追記しても良い。端末出力部１４は、ユーザ媒体に格納されている情報とともに、蓄積価値取得部１３が取得した蓄積価値を出力しても良い。[0]  利用期限取得手段１４１は、支払媒体に記録されている利用期限情報を取得する。また、利用期限取得手段１４１は、図示しない記録媒体に記録されている利用期限情報を取得しても良い。
【００４６】
端末出力手段１４２は、蓄積価値を、蓄積価値の利用期限を示す利用期限情報と対にして追記する。ここで、利用期限情報は、通常、利用期限取得手段１４１が取得した利用期限情報である。
【００４７】
制御部１０、消費情報取得部１２、蓄積価値取得部１３、端末出力部端末出力部１４、入場時刻取得手段１２１、現在時刻取得手段１２２、時間取得手段１２３、消費情報取得手段１２４、利用期限取得手段１４１、および端末出力手段１４２は、通常、ＭＰＵやメモリ等から実現され得る。制御部１０等の処理手順は、通常、ソフトウェアで実現され、当該ソフトウェアはＲＯＭ等の記録媒体に記録されている。但し、ハードウェア（専用回路）で実現しても良い。
【００４８】
次に、駐車料金精算装置１の動作について、図３のフローチャートを用いて説明する。
【００４９】
（ステップＳ３０１）制御部１０は、車両の入場が検知されたか否かを判断する。入場が検知された場合はステップＳ３０２に行き、入場が検知されない場合はステップＳ３０４に行く。
【００５０】
（ステップＳ３０２）制御部１０は、図示しない時計等から現在時刻を取得し、当該現在時刻である入場時刻等を駐車券に記録する。なお、制御部１０は、入場時刻以外に、車両番号等の他の情報を駐車券に記録しても良い。
【００５１】
（ステップＳ３０３）制御部１０は、駐車券の発行等を指示する。また、制御部１０は、ゲートのオープン等をも指示しても良い。かかる指示により、駐車券が出力され、駐車場のゲートがオープンする。なお、駐車場のゲートがオープンするまでの動作は公知技術であるので、詳細な説明を省略する。また、制御部１０は、駐車券がユーザにより取り出されたことを検知した後、ゲートのオープン指示をゲートに対して送付することは好適である。
【００５２】
（ステップＳ３０４）制御部１０は、車両の出場が検知されたか否かを判断する。出場が検知された場合はステップＳ３０５に行き、出場が検知されない場合はステップＳ３０１に戻る。
【００５３】
（ステップＳ３０５）制御部１０は、支払媒体、ユーザ媒体、および駐車券が投入されたか否かを判断する。支払媒体等が投入された場合はステップＳ３０６に行き、投入されない場合はステップＳ３０５に戻る。
【００５４】
（ステップＳ３０６）消費情報取得部１２の入場時刻取得手段１２１は、駐車券に記録された入場時刻を取得する。
【００５５】
（ステップＳ３０７）現在時刻取得手段１２２は、図示しない時計、またはＮＴＰサーバ等から現在時刻を取得する。
【００５６】
（ステップＳ３０８）時間取得手段１２３は、ステップＳ３０６で取得された現在時刻と、ステップＳ３０７で取得された入場時刻との差を算出し、駐車時間に対応する時間情報を取得する。時間情報は、駐車していた時間でも良いし、駐車時間に対応する数値等でも良い。
【００５７】
（ステップＳ３０９）消費情報取得手段１２４は、ステップＳ３０８で取得された時間情報を用いて、消費情報を取得する。
【００５８】
（ステップＳ３１０）蓄積価値取得部１３は、支払媒体の価値を取得する。蓄積価値取得部１３は、例えば、支払媒体に記録された価値を取得する。なお、ここでの価値は、例えば、金額や時間やポイントや価値を示す数値等である。蓄積価値取得部１３は、例えば、支払媒体（例えば、紙幣）を画像認識し、金額を取得する。紙幣を画像認識する技術は公知技術である。
【００５９】
（ステップＳ３１１）蓄積価値取得部１３は、ステップＳ３１０で取得した支払媒体の価値から、ステップＳ３０９で取得された消費情報が示す価値を引き、蓄積価値を取得する。蓄積価値は、支払媒体の価値に対して、残った価値である、と言える。
【００６０】
（ステップＳ３１２）端末出力部端末出力部１４の利用期限取得手段１４１は、利用期限情報を取得するか否かを判断する。利用期限情報を取得する場合はステップＳ３１３に行き、取得しない場合はステップＳ３１４に行く。なお、ここでの判断は、支払媒体に利用期限情報が記録されているか否かにより行われても良いし、予め決められていても良い。
【００６１】
（ステップＳ３１３）利用期限取得手段１４１は、利用期限情報を取得する。例えば、利用期限取得手段１４１は、支払媒体に記録されている利用期限情報を取得する。
【００６２】
（ステップＳ３１４）端末出力手段１４２は、ステップＳ３１１で取得された蓄積価値を蓄積媒体（ユーザ媒体の一種）に追記する。なお、端末出力手段１４２は、ステップＳ３１３で利用期限情報を取得した場合、蓄積価値と利用期限情報との対の情報をユーザ媒体に追記する。
【００６３】
（ステップＳ３１５）制御部１０は、ユーザ媒体の出力等を指示する。また、制御部１０は、駐車券の出力を指示しても良いし、ゲートのオープンを指示しても良い。ステップＳ３０１に戻る。
【００６４】
なお、図３のフローチャートにおいて、電源オフや処理終了の割り込みにより処理は終了する。
【００６５】
以下、本実施の形態における駐車料金精算装置１の具体的な動作について説明する。駐車料金精算装置１の概念図は図１である。ここで、３つの具体例を用いて、駐車料金精算装置１の具体的な動作について説明する。
【００６６】
具体例１において、支払媒体が駐車チケット（駐車サービス券と言っても良い）の場合である。また、具体例１において、蓄積媒体はポイントカードである、とする。このポイントカードは、ポイントがカード内に記録されるとともに、現在のポイントが外部に表示され得るカードである。また、ここでは、１ポイントは１円の価値である、とする。ポイントカードは公知技術であるので、詳細な説明を省略する。また、具体例１では、入場時に駐車券が発行される場合である。また、具体例１では、支払媒体が有効期限を有する場合である。また、具体例１において、駐車料金精算装置１は、１分単位の駐車時間に対して課金するものとする。さらに、本駐車場は、１分１０円である、とする。
【００６７】
具体例２において、支払媒体が現金と駐車チケット（駐車サービス券と言っても良い）の場合である。また、具体例２において、蓄積媒体はポイントカードである、とする。また、ここでは、１ポイントは１円の価値である、とする。また、具体例２では、入場時に駐車券が発行される場合である。また、具体例２では、支払媒体が有効期限を有さない場合である。また、具体例２において、駐車料金精算装置１は、１秒単位の駐車時間に対して課金するものとする。さらに、本駐車場は、１秒１円である、とする。
【００６８】
具体例３は、支払媒体が紙幣の場合である。また、具体例３において、蓄積媒体はＩＣカードである、とする。また、具体例３では、入場時に駐車券が発行されない場合である。具体例３では、車両のナンバープレートの画像処理により、入場時刻と出場時刻を取得し、駐車料金を決定するものとする。
【００６９】
（具体例１）
今、ユーザＡは、自動車で駐車場に入場する位置に来た、とする。次に、駐車料金精算装置１の制御部１０は、駐車場に入場しようとする自動車を検知し、図示しない時計から現在時刻「１２：４５」を取得し、当該現在時刻である入場時刻等を駐車券に記録する。そして、制御部１０は、駐車券の発行を、図示しない駐車券発行部に指示する。駐車料金精算装置１の駐車券発行部は、入場時刻等が記録された駐車券を発行する。
【００７０】
次に、当該ユーザＡは駐車券を取る。そして、制御部１０は、ゲートのオープン指示をゲートに対して送付し、ゲートがオープンする。そして、自動車が入場し、ゲートがクローズされる。
【００７１】
また、ユーザＡは、図４に示す１時間の駐車サービス券を保有している、とする。また、当該ユーザは、図５に示す蓄積媒体を保有している、とする。図５に示す蓄積媒体であるポイントカードが有する総ポイントは７００であり、その内、有効期限「２０１３／９／３０」のポイントが１００、有効期限がないポイントが６００である。有効期限がないポイントに関して、有効期限の項目は「−」と表示されている（図５参照）。
【００７２】
かかる状況で、ユーザＡが駐車場の出口まで自動車を移動させた、とする。次に、制御部１０は、車両の出場を検知する。次に、ユーザＡが、駐車料金精算装置１に、駐車券、支払媒体である図４の駐車サービス券、および蓄積媒体である図５のポイントカードを、駐車料金精算装置１の適切な挿入口に挿入した、とする。
【００７３】
次に、制御部１０は、支払媒体、蓄積媒体、および駐車券が投入された、と判断する。
【００７４】
次に、消費情報取得部１２の入場時刻取得手段１２１は、駐車券に記録された入場時刻「１２：４５」を取得する。また、現在時刻取得手段１２２は、図示しない時計から現在時刻「１２：５９」を取得する。次に、時間取得手段１２３は、現在時刻と入場時刻との差を算出し、駐車時間に対応する時間情報「１４分」を取得する。この時間情報は、ここでは消費情報である、とする。
【００７５】
次に、蓄積価値取得部１３は、取得された消費情報「１４分」と支払媒体の価値「１時間」とを用いて、蓄積価値を取得する。つまり、消蓄積価値取得部１３は、支払媒体の価値「１時間」から消費情報「１４分」を引き算し、蓄積価値に対応する時間「４６分」を取得する。そして、蓄積価値取得部１３は、蓄積価値に対応する時間「４６分」から、蓄積価値「４６０」を算出する。なお、ここでは、１分が１０円（１０ポイント）に対応するので、蓄積価値取得部１３は、「４６×１０」を計算し、「４６０」を得る。
【００７６】
次に、端末出力部端末出力部１４の利用期限取得手段１４１は、支払媒体に記録されている利用期限情報「２０１４／３／３１」を取得する。
【００７７】
そして、端末出力手段１４２は、取得した蓄積価値「４６０」と利用期限情報「２０１４／３／３１」との対の情報を蓄積媒体（図５のポイントカード）に追記する。そして、図６のポイントカードが得られる。なお、端末出力手段１４２が情報を追記する位置は問わない。
【００７８】
そして、制御部１０は、ポイントカードの出力を指示し、ポイントカードが出力される。次に、ユーザＡはポイントカードを取り出す。そして、制御部１０は、ゲートのオープンをゲートに指示し、ゲートがオープンする。
【００７９】
（具体例２）
具体例２において、ユーザＡが自動車で駐車場に入場する際の駐車料金精算装置１の動作は、具体例１と同じである、とする。つまり、入場時刻「１２：４５：００」が記録された駐車券が発行され、ユーザＡは当該駐車券を取得した、とする。
【００８０】
また、ユーザＡは、図４に示す１時間の駐車サービス券を保有している、とする。また、当該ユーザは、図６に示す蓄積媒体を保有している、とする。図６に示す蓄積媒体であるポイントカードが有する総ポイントは１１６０であり、その内、有効期限「２０１３／９／３０」のポイントが１００、有効期限「２０１４／３／３１」のポイントが４６０、有効期限がないポイントが６００である。
【００８１】
かかる状況で、ユーザＡが駐車場の出口まで自動車を移動させた、とする。次に、制御部１０は、車両の出場を検知する。次に、ユーザＡが、駐車料金精算装置１に、駐車券、支払媒体である図４の駐車サービス券と１０００円の紙幣、および蓄積媒体である図６のポイントカードを、駐車料金精算装置１の適切な挿入口に挿入した、とする。
【００８２】
次に、制御部１０は、支払媒体、蓄積媒体、および駐車券が投入された、と判断する。
【００８３】
次に、消費情報取得部１２の入場時刻取得手段１２１は、駐車券に記録された入場時刻「１２：４５：００」を取得する。また、現在時刻取得手段１２２は、図示しない時計から現在時刻「１３：５０：３０」を取得する。次に、時間取得手段１２３は、現在時刻と入場時刻との差を算出し、駐車時間に対応する時間情報「６５分３０秒」を取得する。
【００８４】
次に、消費情報取得手段１２４は、取得された時間情報「６５分３０秒」を消費情報に変換する。つまり、消費情報取得手段１２４は、「６５分３０秒」から「３９３０秒」を取得する。そして、消費情報取得手段１２４は、「３９３０秒」から「３９３０円」を取得する。ここで、上述したように１秒１円であるので、消費情報取得手段１２４は、消費情報「３９３０円」を取得した。
【００８５】
次に、蓄積価値取得部１３は、消費情報「３９３０円」と支払媒体の価値「１時間」と１０００円とを用いて、蓄積価値を取得する。つまり、蓄積価値取得部１３は、支払媒体の価値「３６００秒×１円＋１０００円＝４６００円」から消費情報「３９３０円」を引き算し、蓄積価値に対応する金額「６７０円」を取得する。そして、蓄積価値取得部１３は、蓄積価値に対応する金額「６７０円」から、蓄積価値「６７０」を算出する。なお、ここでは、１円が１ポイントに対応する。
【００８６】
次に、利用期限取得手段１４１は、利用期限情報を取得しない、と判断する。つまり、利用期限取得手段１４１は、支払のために、現金が一部にでも利用された場合、利用期限情報を取得しない、と判断する。
【００８７】
次に、端末出力手段１４２は、取得された蓄積価値「６７０」を蓄積媒体に追記する。ここで、端末出力手段１４２は、利用期限情報を有さないポイント「６００」に「６７０」を加算し、利用期限情報を有さないポイントを「１２７０」として、追記する。また、端末出力手段１４２は、総ポイント「１１６０」に「６７０」を加算し、総ポイントを「１８３０」として、追記する（図７参照）。
【００８８】
（具体例３）
今、ユーザＡは、自動車で駐車場に入場する位置に来た、とする。次に、駐車料金精算装置１の制御部１０は、駐車場に入場しようとする自動車を検知し、図示しない時計から現在時刻「１２：４５」を取得し、当該現在時刻である入場時刻等を駐車券に記録する。また、制御部１０は、当該自動車のナンバープレートの識別情報（ここでは、識別情報Ａとする）を画像処理により取得し、当該識別情報Ａと入場時刻「１２：４５」とを対にして、図示しない記録媒体に蓄積した、とする。
【００８９】
また、ユーザＡは、蓄積媒体であるＩＣカードを保有している、とする。
【００９０】
かかる状況で、ユーザＡが駐車場の出口まで自動車を移動させた、とする。次に、制御部１０は、車両の出場を検知する。次に、ユーザＡが、駐車料金精算装置１に、現金１０００円とＩＣカードとを、駐車料金精算装置１の適切な挿入口に挿入した、とする。
【００９１】
次に、制御部１０は、当該自動車のナンバープレートの識別情報Ａを画像処理により取得する。次に、消費情報取得部１２の入場時刻取得手段１２１は、識別情報Ａに対応する入場時刻「１２：４５」を図示しない記録媒体から読み取る。次に、現在時刻取得手段１２２は、図示しない時計から現在時刻「１３：１５」を取得する。
【００９２】
次に、時間取得手段１２３は、取得された現在時刻「１３：１５」と、取得された入場時刻「１２：４５」との差を算出し、駐車時間に対応する時間情報「３０分」を取得する。
【００９３】
次に、消費情報取得手段１２４は、取得された時間情報「３０分」を用いて、消費情報「３００円」を取得する。なお、ここでは、駐車料金は１分単位で課金され、１分１０円である、とする。
【００９４】
次に、蓄積価値取得部１３は、紙幣を読み取り、紙幣を画像認識し、１０００円の紙幣である、と判断する。そして、蓄積価値取得部１３は、支払媒体の価値「１０００円」を取得する。かかる処理は公知技術である。
【００９５】
次に、蓄積価値取得部１３は、取得した支払媒体の価値「１０００円」から、取得された消費情報が示す価値「３００円」を引き、蓄積価値「７００円」を取得する。
【００９６】
次に、端末出力部端末出力部１４の利用期限取得手段１４１は、支払媒体が現金であるとの情報を蓄積価値取得部１３から取得し、利用期限情報を取得しない、と判断する。
【００９７】
次に、端末出力手段１４２は、取得された蓄積価値「７００円」を蓄積媒体であるＩＣカードに追記する。なお、このＩＣカードに記載された金額は、いわゆる電子マネーであっても良いし、当該駐車場でのみ消費可能であっても良い。
【００９８】
以上、本実施の形態によれば、駐車チケット等の支払媒体を使用して駐車料金を支払う場合に、ユーザフレンドリーな支払方法が実現できる。
【００９９】
また、本実施の形態によれば、蓄積する価値に有効期限を付加することができる。なお、ここで、支払媒体が現金であると判断された場合、有効期限を付加しないようにすることは好適である。
【０１００】
また、本実施の形態によれば、駐車場を利用した際のお釣りが蓄積媒体に蓄積されるので、スムーズな出庫が可能となる。そのため、駐車場の渋滞を防止でき、消費燃料の削減にも寄与し、二酸化炭素の排出の削減にもなる。
【０１０１】
さらに、本実施の形態によれば、支払媒体に蓄積されている有効期限を、蓄積媒体に蓄積する価値に対して引き継ぐことができる。
【０１０２】
なお、本実施の形態において、蓄積媒体は、ポイントカード、ＩＣカード等、価値を蓄積できる媒体であれば何でも良い。
【０１０３】
また、本実施の形態において、消費情報の取得方法、蓄積価値の取得方法等は、種々の方法、および組み合わせが考えられることは言うまでもない。
【０１０４】
さらに、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態における駐車料金精算装置１を実現するソフトウェアは、以下のようなプログラムである。つまり、このプログラムは、コンピュータを、駐車料金の支払いのための媒体であり、一の金額の価値を有する媒体である支払媒体、および当該支払媒体に対応する価値から駐車料金分の価値を差し引いた金額に対応する価値である蓄積価値を蓄積する媒体または蓄積先を特定する媒体であるユーザ媒体を受け付ける受付部と、一の車両の駐車時間に応じた駐車料金に関する情報である消費情報を取得する消費情報取得部と、前記支払媒体の価値から前記消費情報が価値を差し引いて、蓄積価値を取得する蓄積価値取得部と、前記ユーザ媒体を用いて、前記蓄積価値を出力する端末出力部として機能させるためのプログラム、である。
【０１０５】
また、上記プログラムにおいて、コンピュータを、前記受付部は、駐車料金の支払いのための媒体であり、一の金額の価値を有する媒体である支払媒体、および当該支払媒体に対応する価値から駐車料金分の価値を差し引いた金額に対応する価値である蓄積価値を蓄積するユーザ媒体である蓄積媒体を受け付け、前記端末出力部は、前記蓄積価値を前記蓄積媒体に追記するものとして、コンピュータを機能させることは好適である。
端末出力部  また、上記プログラムにおいて、前記受付部は、駐車場への入場時に入場時刻が記録された駐車券をも受け付け、前記消費情報取得部は、現在時刻を取得する現在時刻取得手段と、前記駐車券に記録された入場時刻を取得する入場時刻取得手段と、前記現在時刻と前記入場時刻との差を算出し、駐車していた時間に関する時間情報を取得する時間取得手段と、前記時間情報を用いて、消費情報を取得する消費情報取得手段とを具備するものとして、コンピュータを機能させることは好適である。
【０１０６】
また、上記プログラムにおいて、前記端末出力部は、前記蓄積価値を、当該蓄積価値の利用期限を示す利用期限情報と対にして追記するものとして、コンピュータを機能させることは好適である。
【０１０７】
また、上記プログラムにおいて、前記支払媒体には、利用期限情報が記録されており、前記端末出力部は、前記支払媒体に記録されている利用期限情報を取得する利用期限取得手段と、前記蓄積価値を、当該蓄積価値の利用期限を示す利用期限情報と対にして追記する追記手段とを具備するものとして、コンピュータを機能させることは好適である。
【０１０８】
（実施の形態２）
本実施の形態と実施の形態１との差異は、清算する料金が駐車場料金以外でも良い点である。
【０１０９】
また、本実施の形態において、支払媒体はチケットや現金等である点、実施の形態１と同様である。また、本実施の形態において、蓄積媒体はポイントカード、ＩＣカード等、価値を蓄積可能な媒体であれば何でも良い点、実施の形態１と同様である。
【０１１０】
図８は、本実施の形態における料金精算装置２のブロック図である。料金精算装置２は、制御部２０、受付部２１、消費情報取得部２２、蓄積価値取得部２３、および端末出力部３１４端末出力部３１４を備える。また、端末出力部３１４端末出力部３１４は、例えば、利用期限取得手段２４１、端末出力手段３１４２を備える。なお、料金精算装置２は、電車の運賃の精算装置でも良いし、何からのサービスや商品の清算装置でも良い。
【０１１１】
制御部２０は、必要な処理を行う。必要な処理とは、例えば、料金を精算するための各種の処理である。ただし、必要な処理の内容は料金精算装置２によって異なり、問わない。
【０１１２】
受付部２１は、支払媒体およびユーザ媒体を受け付ける。支払媒体は、料金の支払いのための媒体であり、一の金額の価値を有する媒体である。支払媒体とは、チケット、または現金等である。支払媒体がチケットである場合、当該チケットには価値（例えば、金額、ポイント等）を示す情報が記録されている、またはチケットを画像認識等することにより価値を取得でき得る、とする。なお、支払媒体が現金である場合、画像認識等により、価値を取得でき得る。
【０１１３】
また、ユーザ媒体は、ユーザが所有する媒体であり、チケットまたは現金等の支払媒体で消費可能な価値に対して、消費が少なかった場合に、余った価値の分を、再利用可能にするための媒体である。ユーザ媒体は、例えば、蓄積媒体または識別子格納媒体である。また、蓄積媒体は、支払媒体に対応する価値から消費分の価値を差し引いた金額に対応する価値である蓄積価値を蓄積する媒体である。蓄積媒体には、通常、再利用可能なポイントや金額等が記憶される。なお、蓄積価値とは、余った料金分である、とも言える。蓄積媒体は、例えば、ポイントカードやＩＣカード等である。
【０１１４】
また、識別子格納媒体とは、支払媒体に対応する価値から消費した価値を差し引いた価値である蓄積価値の蓄積先を特定する媒体である。識別子格納媒体は、通常、蓄積先を特定する識別子が格納されている。識別子は、識別子格納媒体の所有者を識別する情報でも良いし、識別子格納媒体を識別する情報等でも良い。
【０１１５】
消費情報取得部２２は、消費した価値に関する情報である消費情報を取得する。消費した価値は、これから消費する価値でも良い。消費情報取得部２２は、ユーザから入力された消費情報を取得しても良いし、実施の形態１で示したように、自動的に消費情報を算出しても良い。消費行動が電車への乗車である場合、消費情報取得部２２は、例えば、受け付けられたＩＣカードに記録された乗車駅の識別子と、料金精算装置２に格納されている降車駅の識別子とを取得し、当該乗車駅の識別子と降車駅の識別子とから、乗車料金を取得する。この乗車料金が消費情報の例である。また、消費が時間単位の課金の遊園地での消費である場合、消費情報取得部２２は、入場チケットに記録されている入場時刻と現在時刻とから遊園地の滞在時間を算出し、当該滞在時間から消費情報（ここでは、例えば、消費金額）を算出する。
【０１１６】
蓄積価値取得部２３は、支払媒体の価値を示す一の金額から消費情報が示す金額を差し引いた金額に対応する価値である蓄積価値を取得する。なお、金額が時間やポイント等に対応する場合、金額は時間やポイント等と考えても良い。
【０１１７】
端末出力部３１４端末出力部３１４は、ユーザ媒体を用いて、蓄積価値取得部２３が取得した蓄積価値を出力する。端末出力部３１４は、蓄積価値取得部２３が取得した蓄積価値を蓄積媒体に追記する。端末出力部３１４端末出力部３１４は、蓄積価値取得部２３が取得した蓄積価値を、蓄積価値の利用期限を示す利用期限情報と対にして追記する。端末出力部３１４は、ユーザ媒体に格納されている情報とともに、蓄積価値取得部２３が取得した蓄積価値を出力しても良い。[0]
【０１１８】
利用期限取得手段２４１は、支払媒体に記録されている利用期限情報を取得する。
【０１１９】
端末出力手段３１４２は、蓄積価値取得部２３が取得した蓄積価値を蓄積媒体に追記する。
端末出力手段３１４２は、蓄積価値を、蓄積価値の利用期限を示す利用期限情報と対にして蓄積媒体に追記しても良い。
【０１２０】
制御部２０、消費情報取得部２２、蓄積価値取得部２３、端末出力部３１４端末出力部３１４、利用期限取得手段２４１、および端末出力手段３１４２は、通常、ＭＰＵやメモリ等から実現され得る。制御部２０の処理手順は、通常、ソフトウェアで実現され、当該ソフトウェアはＲＯＭ等の記録媒体に記録されている。但し、ハードウェア（専用回路）で実現しても良い。
【０１２１】
次に、料金精算装置２の動作について、図９のフローチャートを用いて説明する。
【０１２２】
（ステップＳ９０１）受付部２１は、支払媒体および蓄積媒体を受け付けたか否かを判断する。支払媒体および蓄積媒体を受け付けた場合はステップＳ９０２に行き、受け付けなかった場合はステップＳ９０１に戻る。
【０１２３】
（ステップＳ９０２）消費情報取得部２２は、消費情報を取得する。
【０１２４】
（ステップＳ９０３）蓄積価値取得部２３は、支払媒体の価値を、ステップＳ９０１で受け付けられた支払媒体から取得する。
【０１２５】
（ステップＳ９０４）蓄積価値取得部２３は、ステップＳ９０２で取得された消費情報とステップＳ９０３で取得した支払媒体の価値とから、蓄積価値を取得する。
【０１２６】
（ステップＳ９０５）端末出力部３１４端末出力部３１４は、利用期限情報を取得するか否かを判断する。利用期限情報を取得する場合はステップＳ９０６に行き、利用期限情報を取得しない場合はステップＳ９０７に行く。
【０１２７】
（ステップＳ９０６）端末出力部３１４端末出力部３１４は、利用期限情報を取得する。例えば、端末出力部３１４端末出力部３１４は、受け付けられた支払媒体に記録されている利用期限情報を読み出す。
【０１２８】
（ステップＳ９０７）端末出力部３１４端末出力部３１４は、ステップＳ９０４で取得された蓄積価値を、蓄積媒体（ユーザ媒体の一種）に追記する。また、端末出力部３１４端末出力部３１４は、ステップＳ９０４で取得された蓄積価値およびステップＳ９０６で取得した利用期限情報を対にして、蓄積媒体に追記しても良い。
【０１２９】
（ステップＳ９０８）制御部２０は、必要な処理を行う。ステップＳ９０１に戻る。
【０１３０】
なお、図９のフローチャートにおいて、電源オフや処理終了の割り込みにより処理は終了する。
【０１３１】
以下、本実施の形態における料金精算装置２の具体的な動作について説明する。ここでは、３つの具体例について説明する。
【０１３２】
具体例１は、電車の運賃の支払いの場合である。具体例１において、支払媒体は、ＩＣカードと現金である。また、蓄積媒体は、ＩＣカードである。つまり、支払媒体と蓄積媒体とは、一部に重なっても良い。
【０１３３】
具体例２は、商品（ここでは、ラーメン）を購入する場合の例である。具体例２において、支払媒体は、チケットである。また、蓄積媒体は、ＩＣカードである。
【０１３４】
具体例３は、駐車料金の支払の場合である。具体例３において、支払媒体は、駐車チケットである。また、蓄積媒体は、ポイントカードである。つまり、具体例３は、実施の形態１の具体例１と同じである。
【０１３５】
（具体例１）
ユーザＢは、ＩＣカードと現金「１０００円紙幣」とを、料金精算装置２に投入した、とする。ここで、料金精算装置２が設置されている駅の駅識別子は「駅Ａ」である、とする。また、ＩＣカードには、出発駅の識別子である、駅名「駅Ｘ」と、残金１５０円の情報が記録されている、とする。
【０１３６】
次に、受付部２１は、支払媒体であるＩＣカードと現金を受け付ける。また、受付部２１は、蓄積媒体であるＩＣカードを受け付けたことになる。
【０１３７】
次に、消費情報取得部２２は、消費情報を取得する。つまり、消費情報取得部２２は、駅Ｘから駅Ａまでの運賃「２５０円」を取得した、とする。ここで、運賃の算出方法は公知技術であるので、説明を省略する。
【０１３８】
次に、蓄積価値取得部２３は、支払媒体の価値の一部である「１５０円」を、ＩＣカードから読み取る。また、蓄積価値取得部２３は、受け付けられた現金を読み取り、支払媒体の価値の一部である「１０００円」を得る。次に、蓄積価値取得部２３は、「１５０円」と「１０００円」とを加算し、支払媒体の価値「１１５０円」を得る。
【０１３９】
次に、蓄積価値取得部２３は、取得された消費情報「２５０円」と取得した支払媒体「１１５０円」の価値との差を算出し、蓄積価値「９００円」を取得する。
【０１４０】
次に、端末出力部３１４端末出力部３１４は、支払媒体に現金が含まれることを検知し、利用期限情報を取得しない、と判断する。
【０１４１】
次に、端末出力部３１４端末出力部３１４は、取得された蓄積価値「９００円」を、蓄積媒体であるＩＣカードに蓄積する。以上の処理により、投入された現金に余りの部分を自動的に蓄積媒体に記録できる。
【０１４２】
（具体例２）
ユーザＢは、ラーメンを購入するためのチケット２０００円分を保持している。また、このチケットには、価値「２０００円」に加えて、有効期限「２０１３年１２月３１日」の情報が記録されている、とする。
【０１４３】
かかる状況において、ユーザＢは、ラーメン店の店舗に設置してある料金精算装置２に、上記チケットと、蓄積媒体であるポイントカードを投入した、とする。なお、ポイントカードは、１ポイント１円の価値を有し、情報の記録が可能なポイントカードである。さらに、当該ポイントカードは、少なくとも、当該ラーメン店において、使用可能である、とする。
【０１４４】
次に、料金精算装置２の受付部２１は、支払媒体であるチケットおよび蓄積媒体であるポイントカードを受け付ける。
【０１４５】
次に、ユーザは、１０００円のラーメンの食券を購入するために、１０００円のラーメンのボタンを押下した、とする。なお、このボタンは、料金精算装置２が有する。
【０１４６】
次に、消費情報取得部２２は、消費情報「１０００円」を取得する。
【０１４７】
次に、蓄積価値取得部２３は、支払媒体の価値「２０００円」を、チケットから取得する。
【０１４８】
次に、蓄積価値取得部２３は、取得された消費情報「１０００円」と取得した支払媒体の価値「２０００円」との差を算出し、蓄積価値「１０００円」を取得する。
【０１４９】
次に、端末出力部３１４端末出力部３１４は、チケットに記録されている利用期限情報「２０１３年１２月３１日」を取得する。
【０１５０】
次に、端末出力部３１４端末出力部３１４は、取得された蓄積価値「１０００円」および取得した利用期限情報「２０１３年１２月３１日」を対にして、蓄積媒体であるポイントカードに追記する。
【０１５１】
次に、制御部２０は、１０００円のラーメンの食券を発行する。
【０１５２】
（具体例３）
ユーザＢは、図４に示す１時間の駐車サービス券を保有している、とする。また、当該ユーザＢは、図５に示す蓄積媒体を保有している、とする。さらに、ユーザＢは、駐車券を保持している、とする。この駐車券には、入場時刻「１２：４５」が記録されている。また、本駐車場の料金は１分単位で課金され、１分１円である、とする。
【０１５３】
かかる状況で、ユーザＡが駐車場の出口まで自動車を移動させた、とする。次に、制御部２０は、車両の出場を検知する。次に、ユーザＡが、料金精算装置２に、駐車券、支払媒体である図４の駐車サービス券、および蓄積媒体である図５のポイントカードを、料金精算装置２の適切な挿入口に挿入した、とする。
【０１５４】
次に、制御部２０は、支払媒体、蓄積媒体、および駐車券が投入された、と判断する。
【０１５５】
次に、消費情報取得部２２は、駐車券に記録された入場時刻「１２：４５」を取得する。また、消費情報取得部２２は、図示しない時計から現在時刻「１２：５９」を取得する。次に、消費情報取得部２２は、現在時刻と入場時刻との差を算出し、駐車時間に対応する時間情報「１４分」を取得する。この時間情報は、ここでは消費情報である、とする。
【０１５６】
次に、蓄積価値取得部２３は、取得された消費情報「１４分」と支払媒体の価値「１時間」とを用いて、蓄積価値「４６分」を取得する。そして、蓄積価値取得部２３は、蓄積価値に対応する時間「４６分」から、蓄積価値「４６０」を算出する。なお、ここでは、１分が１０円（１０ポイント）に対応するので、蓄積価値取得部２３は、「４６×１０」を計算し、「４６０」を得る。
【０１５７】
次に、蓄積価値取得部２３は、支払媒体に記録されている利用期限情報「２０１４／３／３１」を取得する。
【０１５８】
そして、蓄積価値取得部２３は、取得した蓄積価値「４６０」と利用期限情報「２０１４／３／３１」との対の情報を蓄積媒体（図５のポイントカード）に追記する。そして、図６のポイントカードが得られる。
【０１５９】
そして、制御部２０は、ポイントカードの出力を指示し、ポイントカードが出力される。次に、ユーザＡはポイントカードを取り出す。そして、制御部２０は、ゲートのオープンをゲートに指示し、ゲートがオープンする。
【０１６０】
なお、本具体例において、利用期限情報を蓄積しない、と判断しても良い。また、料金精算装置２は、実施の形態１で説明した具体例２、３の処理を行っても良い。
【０１６１】
以上、本実施の形態によれば、支払媒体を使用して料金を支払う場合に、ユーザフレンドリーな支払方法が実現できる。
【０１６２】
また、本実施の形態によれば、蓄積する価値に有効期限を付加することができる。
【０１６３】
なお、本実施の形態における料金精算装置２の具体的構成の例は、以下である。つまり、この料金精算装置は、料金の支払いのための媒体であり、一の金額の価値を有する媒体である支払媒体、および当該支払媒体に対応する価値から消費分の価値を差し引いた金額に対応する価値である蓄積価値を蓄積する媒体または蓄積先を特定する媒体であるユーザ媒体を受け付ける受付部と、消費した価値に関する情報である消費情報を取得する消費情報取得部と、前記支払媒体の価値を示す一の金額から前記消費情報が示す金額を差し引いた金額に対応する価値である蓄積価値を取得する蓄積価値取得部と、前記ユーザ媒体を用いて、前記蓄積価値を出力する端末出力部とを具備する料金精算装置である。
【０１６４】
また、上記の料金精算装置において、前記端末出力部は、前記蓄積価値を、当該蓄積価値の利用期限を示す利用期限情報と対にして前記蓄積媒体に追記する料金精算装置であることは好適である。
【０１６５】
また、上記の料金精算装置において、前記端末出力部は、前記支払媒体に記録されている利用期限情報を取得する利用期限取得手段と、前記蓄積価値を、当該蓄積価値の利用期限を示す利用期限情報と対にして前記蓄積媒体に追記する追記手段とを具備する請求項８記載の駐車料金精算装置であることは好適である。
【０１６６】
また、上記の料金精算装置において、前記支払媒体は、チケット、または現金であることは好適である。
【０１６７】
また、上記の料金精算装置において、前記蓄積媒体は、ポイントカードであることは好適である。
【０１６８】
さらに、本実施の形態における料金精算装置２を実現するソフトウェアは、以下のようなプログラムである。つまり、このプログラムは、コンピュータを、料金の支払いのための媒体であり、一の金額の価値を有する媒体である支払媒体、および当該支払媒体に対応する価値から消費分の価値を差し引いた金額に対応する価値である蓄積価値を蓄積する媒体である蓄積媒体を受け付ける受付部と、消費した価値に関する情報である消費情報を取得する消費情報取得部と、前記支払媒体の価値を示す一の金額から前記消費情報が示す金額を差し引いた金額に対応する価値である蓄積価値を取得する蓄積価値取得部と、前記蓄積価値を前記蓄積媒体に追記する端末出力部として機能させるためのプログラムである。
【０１６９】
また、上記プログラムにおいて、前記端末出力部は、前記蓄積価値を、当該蓄積価値の利用期限を示す利用期限情報と対にして前記蓄積媒体に追記するものとして、コンピュータを機能させることは好適である。
【０１７０】
また、上記プログラムにおいて、前記端末出力部は、前記支払媒体に記録されている利用期限情報を取得する利用期限取得手段と、前記蓄積価値を、当該蓄積価値の利用期限を示す利用期限情報と対にして前記蓄積媒体に追記する追記手段とを具備するものとして、コンピュータを機能させることは好適である。
【０１７１】
（実施の形態３）
本実施の形態において、実施の形態１と比較して、ユーザ媒体は識別子が蓄積されている識別子格納媒体であり、サーバ装置が識別子に対応付けて価値情報を管理している駐車料金精算システム３について説明する。なお、ここでのユーザ媒体は、識別子のみが蓄積されていても良い。
【０１７２】
図１０は、本実施の形態における駐車料金精算システム３のブロック図である。駐車料金精算システム３は、１以上の駐車料金精算装置３１、およびサーバ装置３２を備える。サーバ装置３２は、通常、駐車場等で利用できる各ユーザのポイントや金額等を管理する装置である。
【０１７３】
駐車料金精算装置３１は、制御部１０、受付部１１、消費情報取得部１２、蓄積価値取得部１３、端末出力部３１４、端末受信部３１５を備える。
【０１７４】
消費情報取得部１２は、入場時刻取得手段１２１、現在時刻取得手段１２２、時間取得手段１２３、消費情報取得手段１２４を備える。
【０１７５】
端末出力部３１４は、利用期限取得手段１４１、端末出力手段３１４２を備える。
【０１７６】
サーバ装置３２は、サーバ格納部３２１、サーバ受信部３２２、サーバ蓄積部３２３、サーバ処理部３２４、およびサーバ送信部３２５を備える。
【０１７７】
駐車料金精算装置３１を構成する端末出力部３１４は、ユーザ媒体を用いて、蓄積価値取得部１３が取得した蓄積価値を出力する。端末出力部３１４は、通常、ユーザ媒体に格納されている識別子と蓄積価値とを有する蓄積情報を、サーバ装置３２に送信する。また、端末出力部３１４は、ユーザ媒体に格納されている識別子と消費情報とを有する消費関連情報とをサーバ装置３２に送信しても良い。消費情報とは、消費した価値を示す情報であり、例えば、一の車両の駐車時間に応じた駐車料金に関する情報である。なお、ユーザ媒体に格納されている識別子は、ユーザ媒体またはユーザ等を識別する情報であり、ＩＤ、氏名等、何でも良い。
【０１７８】
また、端末出力部３１４は、蓄積価値を、蓄積価値の利用期限を示す利用期限情報と対にして出力することは好適である。また、ユーザ媒体に格納されている識別子と蓄積価値と利用期限情報とを有する蓄積情報を、サーバ装置３２に送信しても良い。また、端末出力部３１４は、端末受信部３１５が受信した処理結果を出力しても良い。端末出力部３１４は、例えば、有線または無線の通信手段により実現され得る。
【０１７９】
端末出力部３１４を構成する端末出力手段４１４２は、蓄積価値を、蓄積価値の利用期限を示す利用期限情報と対にしてサーバ装置４２に送信しても良い。端末出力手段４１４２は、端末受信部３１５が受信した処理結果を表示または音出力等しても良い。端末出力手段４１４２は、例えば、有線または無線の通信手段により実現され得る。
【０１８０】
端末受信部３１５は、サーバ装置３２から、後述する処理結果等を受信する。端末受信部３１５は、通常、無線または有線の通信手段で実現されるが、放送を受信する手段で実現されても良い。
【０１８１】
サーバ装置３２を構成するサーバ格納部３２１は、１以上の個別価値情報を格納し得る。個別価値情報は、識別子と価値情報とを有する。価値情報とは、駐車料金に対応する価値を示す情報であり、例えば、ポイントや金額等である。
【０１８２】
サーバ格納部３２１は、不揮発性の記録媒体が好適であるが、揮発性の記録媒体でも実現可能である。サーバ格納部３２１に個別価値情報が記憶される過程は問わない。例えば、記録媒体を介して個別価値情報がサーバ格納部３２１で記憶されるようになってもよく、通信回線等を介して送信された個別価値情報がサーバ格納部３２１で記憶されるようになってもよく、あるいは、入力デバイスを介して入力された個別価値情報がサーバ格納部３２１で記憶されるようになってもよい。
【０１８３】
サーバ受信部３２２は、駐車料金精算装置３１から、直接的または間接的に、蓄積情報を受信する。また、サーバ受信部３２２は、駐車料金精算装置３１から消費関連情報を、直接的または間接的に、受信しても良い。サーバ受信部３２２は、通常、無線または有線の通信手段で実現されるが、放送を受信する手段で実現されても良い。
【０１８４】
サーバ蓄積部３２３は、サーバ受信部３２２が受信した蓄積情報が有する蓄積価値を、受信された蓄積情報が有する識別子に対応付けて、サーバ格納部３２１に蓄積する。なお、この蓄積価値は、受信された蓄積情報が有する識別子に対応する価値情報の一部または全部となる。サーバ蓄積部３２３は、受信された識別子と受信された蓄積価値とを有する個別価値情報をサーバ格納部３２１に蓄積しても良いし、受信された識別子を含む個別価値情報の中に、受信された蓄積価値を追記しても良い。つまり、識別子「１２３」と対にポイント「５００」がサーバ格納部３２１に格納されており、受信された識別子が「１２３」で受信された蓄積価値が「３００」の場合、サーバ蓄積部３２３は、ポイント「５００＋３００」を計算し、ポイント「８００」を識別子「１２３」と対に蓄積しても良い。サーバ蓄積部３２３は、通常、ＭＰＵやメモリ等から実現され得る。サーバ蓄積部３２３の処理手順は、通常、ソフトウェアで実現され、当該ソフトウェアはＲＯＭ等の記録媒体に記録されている。但し、ハードウェア（専用回路）で実現しても良い。
【０１８５】
サーバ処理部３２４は、サーバ受信部３２２が受信した消費関連情報が有する識別子と対になる価値情報と、消費関連情報が有する消費情報とから、駐車料金の精算処理を行ない、精算処理の結果である精算結果を、識別子と対にして、サーバ格納部３２１に蓄積する。サーバ処理部３２４は、受信された消費関連情報が有する識別子と対になる価値情報をサーバ格納部３２１から取得し、当該価値情報から受信された消費情報を減じた価値情報を、消費関連情報が有する識別子と対に蓄積しても良い。サーバ処理部３２４は、通常、ＭＰＵやメモリ等から実現され得る。サーバ処理部３２４の処理手順は、通常、ソフトウェアで実現され、当該ソフトウェアはＲＯＭ等の記録媒体に記録されている。但し、ハードウェア（専用回路）で実現しても良い。
【０１８６】
サーバ送信部３２５は、サーバ処理部３２４の処理結果や、サーバ蓄積部３２３の処理結果等を駐車料金精算装置３１に送信する。サーバ送信部３２５は、通常、無線または有線の通信手段で実現されるが、放送手段で実現されても良い。
【０１８７】
次に、駐車料金精算システム３の動作について説明する。まず、駐車料金精算装置３１の動作について、図１１のフローチャートを用いて説明する。図１１のフローチャートにおいて、図３のフローチャートと同一のステップについて説明を省略する。
【０１８８】
（ステップＳ１１０１）端末出力部３１４は、ユーザ媒体に格納されている識別子と蓄積価値取得部１３が取得した蓄積価値とを用いて、蓄積情報を構成し、当該蓄積情報をサーバ装置３２に送信する。
【０１８９】
（ステップＳ１１０２）端末受信部３１５は、ステップＳ１１０１における蓄積情報の送信に応じて、サーバ装置３２から、処理結果等を受信したか否かを判断する。処理結果等を受信すればステップＳ１１０３に行き、処理結果等を受信しなければステップＳ１１０２に戻る。
【０１９０】
（ステップＳ１１０３）端末出力部３１４は、端末受信部３１５が受信した処理結果を出力する。ステップＳ３１５に行く。
【０１９１】
なお、図１１のフローチャートにおいて、電源オフや処理終了の割り込みにより処理は終了する。
【０１９２】
次に、サーバ装置３２の動作について、図１２のフローチャートを用いて説明する。
【０１９３】
（ステップＳ１２０１）サーバ受信部３２２は、駐車料金精算装置３１から蓄積情報を受信したか否かを判断する。蓄積情報を受信すればステップＳ１２０２に行き、受信しなければステップＳ１２０８に行く。
【０１９４】
（ステップＳ１２０２）サーバ蓄積部３２３は、ステップＳ１２０１で受信された蓄積情報が有する識別子を取得し、当該識別子と同一の識別子に対応する価値情報を、サーバ格納部３２１から取得する。
【０１９５】
（ステップＳ１２０３）サーバ蓄積部３２３は、ステップＳ１２０１で受信された蓄積情報が有する蓄積価値を取得する。
【０１９６】
（ステップＳ１２０４）サーバ蓄積部３２３は、ステップＳ１２０３で取得した蓄積価値とステップＳ１２０２で取得した価値情報とを用いて、新しい価値情報を取得する。例えば、サーバ蓄積部３２３は、ステップＳ１２０３で取得した蓄積価値「５００」とステップＳ１２０２で取得した価値情報「８００」とを用いて、新しい価値情報「５００＋８００＝１３００」を取得する。
【０１９７】
（ステップＳ１２０５）サーバ蓄積部３２３は、ステップＳ１２０４で取得した新しい価値情報を、受信された蓄積情報が有する識別子と同一の識別子に対応付けて、サーバ格納部３２１に蓄積する。サーバ蓄積部３２３は、例えば、新しい価値情報「１３００」を受信された蓄積情報が有する識別子と同一の識別子に対応付けて、サーバ格納部３２１に蓄積する。なお、サーバ蓄積部３２３は、ステップＳ１２０１で受信された蓄積情報が有する蓄積価値を、受信された蓄積情報が有する識別子と同一の識別子に対応付けて、サーバ格納部３２１に追記しても良い。なお、蓄積情報が有効期限情報を有する場合、サーバ蓄積部３２３は、蓄積価値と有効期限情報とを追記することは好適である。
【０１９８】
（ステップＳ１２０６）サーバ送信部３２５は、サーバ蓄積部３２３の処理結果（例えば、価値情報が「１３００」になった旨、精算が完了した旨等）を取得する。
【０１９９】
（ステップＳ１２０７）サーバ送信部３２５は、ステップＳ１２０６で取得した処理結果を、駐車料金精算装置３１に送信する。ステップＳ１２０１に戻る。
【０２００】
（ステップＳ１２０８）サーバ受信部３２２は、駐車料金精算装置３１から消費関連情報を受信したか否かを判断する。消費関連情報を受信すればステップＳ１２０９に行き、受信しなければステップＳ１２０１に戻る。
【０２０１】
（ステップＳ１２０９）サーバ処理部３２４は、ステップＳ１２０８で受信された消費関連情報が有する識別子を取得し、当該識別子と同一の識別子と対になる価値情報を、サーバ格納部３２１から取得する。
【０２０２】
（ステップＳ１２１０）サーバ処理部３２４は、ステップＳ１２０８で受信された消費関連情報が有する消費情報を取得する。
【０２０３】
（ステップＳ１２１１）サーバ処理部３２４は、ステップＳ１２０９で取得した価値情報と、ステップＳ１２１０で取得した消費情報とから、駐車料金の精算処理を行なう。例えば、サーバ処理部３２４は、ステップＳ１２０９で取得した価値情報（１２００円）と、ステップＳ１２１０で取得した消費情報（８００円）とから、駐車料金の精算処理を行ない、残金（４００円）を算出する。そして、サーバ処理部３２４は、処理結果（４００円）を取得する。なお、この処理結果は、新しい価値情報である。
【０２０４】
（ステップＳ１２１２）サーバ処理部３２４は、新しい価値情報を、ステップＳ１２０８で受信された消費関連情報が有する識別子と同一の識別子と対応付けて、サーバ格納部３２１に蓄積する。なお、サーバ処理部３２４は、ステップＳ１２０８で受信された消費関連情報を、サーバ格納部３２１に蓄積するだけでも良い。
【０２０５】
（ステップＳ１２１３）サーバ送信部３２５は、サーバ処理部３２４の処理結果を構成する。処理結果は、例えば、残金（４００円）、または残金（４００円）と清算処理が完了した旨等である。
【０２０６】
（ステップＳ１２１４）サーバ送信部３２５は、ステップＳ１２１３で構成した処理結果を、駐車料金精算装置３１に送信する。ステップＳ１２０１に戻る。
【０２０７】
以下、本実施の形態における駐車料金精算システム３の具体的な動作について説明する。
【０２０８】
今、サーバ装置３２のサーバ格納部３２１は、図１３に示す個別価値情報管理表を保持している。個別価値情報管理表は、「ＩＤ」「識別子」「ポイント」を有するレコードを、１以上格納している。このレコードは、個別価値情報の例である。「ＩＤ」はレコードを識別する情報であり、「ポイント」は価値情報の例である。ここでは、駐車時間１０分が１ポイントに対応する、とする。
【０２０９】
かかる状況で、ユーザＡが、駐車場の出場時に、識別子「１５８１７２」が格納されているユーザ媒体、２時間分の無料駐車チケット（支払媒体の一例）を、駐車料金精算装置３１に挿入した、とする。
【０２１０】
次に、駐車料金精算装置３１の受付部１１は、上記ユーザ媒体と無料駐車チケットとを受け付ける。
【０２１１】
次に、消費情報取得部１２は、上述した処理により、例えば、駐車時間、８４分を取得した、とする。
【０２１２】
次に、蓄積価値取得部１３は、無料駐車チケットに格納されている価値「２時間」を無料駐車チケットから読み出す。また、蓄積価値取得部１３は、消費情報「８４分」を取得する。そして、蓄積価値取得部１３は、「１２０分−８４分＝３６分」を取得する。次に、蓄積価値取得部１３は、余った駐車時間「３６分」に対応する蓄積価値「３」を取得する。なお、蓄積価値取得部１３は、ここでは、蓄積価値を算出する場合、駐車時間１０分が１ポイントに該当し、小数点以下のポイントは切り下げて計算する、とする。
【０２１３】
次に、端末出力部３１４は、ユーザ媒体に格納されている識別子「１５８１７２」と蓄積価値取得部１３が取得した蓄積価値「３」とを用いて、蓄積情報「識別子：１５８１７２，ポイント：３」を構成する。そして、端末出力部３１４は、蓄積情報「識別子：１５８１７２，ポイント：３」をサーバ装置３２に送信する。
【０２１４】
次に、サーバ受信部３２２は、駐車料金精算装置３１から蓄積情報「識別子：１５８１７２，ポイント：３」を受信する。
【０２１５】
次に、サーバ蓄積部３２３は、受信された蓄積情報が有する識別子「１５８１７２」を取得し、当該識別子と同一の識別子に対応する価値情報「７」を、図１３に示す個別価値情報管理表から取得する。そして、サーバ蓄積部３２３は、受信された蓄積情報が有する蓄積価値「３」を取得する。
【０２１６】
次に、サーバ蓄積部３２３は、取得した蓄積価値「３」と取得した価値情報「７」とを加えて、新しい価値情報「１０」を取得する。次に、サーバ蓄積部３２３は、ステップＳ１２０４で取得した新しい価値情報を、受信された蓄積情報が有する識別子と同一の識別子に対応付けて、個別価値情報管理表に蓄積する。かかる処理により、個別価値情報管理表の「ＩＤ＝３」のレコードのポイントが「１０」となった。
【０２１７】
次に、サーバ送信部３２５は、サーバ蓄積部３２３の処理結果（例えば、価値情報が「１０」になった旨および精算が完了した旨）を取得し、駐車料金精算装置３１に送信する。
【０２１８】
以上、本実施の形態によれば、ユーザの利用可能なポイントや残金等をサーバ装置３２で管理できる。そのため、駐車チケット等の支払媒体を使用して駐車料金を支払う場合に、よりユーザフレンドリーな支払方法が実現できる。
【０２１９】
また、本実施の形態によれば、蓄積した価値（利用可能なポイントや残金等）を、容易に消費できる。
【０２２０】
なお、本実施の形態によれば、消費情報の取得、蓄積価値の取得は、駐車料金精算装置３１が行った。しかし、消費情報の取得、蓄積価値の取得は、サーバ装置３２など、他の装置が行っても良い。
【０２２１】
なお、本実施の形態における駐車料金精算装置３１を実現するソフトウェアは、以下のようなプログラムである。つまり、このプログラムは、コンピュータを、駐車料金の支払いのための媒体であり、一の金額の価値を有する媒体である支払媒体、および当該支払媒体に対応する価値から駐車料金分の価値を差し引いた金額に対応する価値である蓄積価値を蓄積する媒体または蓄積先を特定する媒体であるユーザ媒体を受け付ける受付部と、一の車両の駐車時間に応じた駐車料金に関する情報である消費情報を取得する消費情報取得部と、前記支払媒体の価値から前記消費情報が価値を差し引いて、蓄積価値を取得する蓄積価値取得部と、前記ユーザ媒体を用いて、前記蓄積価値を出力する端末出力部として機能させるためのプログラム、である。
【０２２２】
また、上記プログラムにおいて、前記ユーザ媒体は、当該ユーザ媒体を識別する識別子を格納しており、前記端末出力部は、前記ユーザ媒体に格納されている識別子と、前記蓄積価値とを有する蓄積情報を、サーバ装置に送信するものとして、コンピュータを機能させることは好適である。
【０２２３】
また、上記プログラムにおいて、前記受付部がユーザ媒体を受け付けた場合であり、蓄積されている価値情報を消費する場合に、前記端末出力部は、前記ユーザ媒体に格納されている識別子と前記消費情報とを有する消費関連情報とを前記サーバ装置に送信するものとして、コンピュータを機能させることは好適である。
【０２２４】
（実施の形態４）
本実施の形態と実施の形態３との差異は、清算する料金が駐車場料金以外でも良い点である。
【０２２５】
また、本実施の形態において、支払媒体はチケットや現金等である点、実施の形態１等と同様である。また、本実施の形態において、ユーザ媒体は、識別子格納媒体である点、実施の形態３と同様である。
【０２２６】
図１４は、本実施の形態における料金精算システム４のブロック図である。料金精算システム４は、１以上の料金精算装置４１、およびサーバ装置４２を備える。
【０２２７】
料金精算装置４１は、制御部２０、受付部２１、消費情報取得部２２、蓄積価値取得部２３、端末出力部４１４を備える。
【０２２８】
端末出力部４１４は、利用期限取得手段２４１、端末出力手段４１４２を備える。
【０２２９】
サーバ装置４２は、サーバ格納部４２１、サーバ受信部４２２、サーバ蓄積部４２３、サーバ処理部４２４を備える。
【０２３０】
料金精算装置４１を構成する端末出力部４１４は、ユーザ媒体を用いて、蓄積価値を出力する。ここで、出力とは、通常、サーバ装置４２への送信である。つまり、端末出力部４１４は、通常、ユーザ媒体に格納されている識別子と蓄積価値とを有する蓄積情報を、サーバ装置４２に送信する。
【０２３１】
また、端末出力部４１４は、ユーザ媒体に格納されている識別子と消費情報とを有する消費関連情報とをサーバ装置４２に送信しても良い。
【０２３２】
また、端末出力部４１４は、蓄積価値を、蓄積価値の利用期限を示す利用期限情報と対にしてサーバ装置４２に送信しても良い。
【０２３３】
端末出力部４１４は、例えば、有線または無線の通信手段により実現され得る。
【０２３４】
端末出力部４１４を構成する端末出力手段４１４２は、蓄積価値を、蓄積価値の利用期限を示す利用期限情報と対にしてサーバ装置４２に送信しても良い。端末出力手段４１４２は、例えば、有線または無線の通信手段により実現され得る。
【０２３５】
サーバ装置４２を構成するサーバ格納部４２１は、１以上の個別価値情報を格納し得る。個別価値情報とは、識別子と消費可能な価値を示す価値情報とを有する。価値情報とは、消費可能な価値を示す情報であり、例えば、ポイントや金額等である。
【０２３６】
サーバ格納部４２１は、不揮発性の記録媒体が好適であるが、揮発性の記録媒体でも実現可能である。サーバ格納部４２１に個別価値情報が記憶される過程は問わない。例えば、記録媒体を介して個別価値情報がサーバ格納部４２１で記憶されるようになってもよく、通信回線等を介して送信された個別価値情報がサーバ格納部４２１で記憶されるようになってもよく、あるいは、入力デバイスを介して入力された個別価値情報がサーバ格納部４２１で記憶されるようになってもよい。
【０２３７】
サーバ受信部４２２は、料金精算装置４１から、直接的または間接的に、蓄積情報を受信する。また、サーバ受信部４２２は、料金精算装置４１から、直接的または間接的に、消費関連情報を受信しても良い。サーバ受信部４２２は、通常、無線または有線の通信手段で実現されるが、放送を受信する手段で実現されても良い。
【０２３８】
サーバ蓄積部４２３は、サーバ受信部４２２が受信した蓄積情報が有する識別子に対応する価値情報として、蓄積情報が有する蓄積価値をサーバ格納部４２１に蓄積する。サーバ蓄積部４２３は、受信された識別子と受信された蓄積価値とを有する個別価値情報をサーバ格納部４２１に蓄積しても良いし、受信された識別子を含む個別価値情報の中に、受信された蓄積価値を追記しても良い。つまり、識別子「１２３」と対にポイント「５００」がサーバ格納部３２１に格納されており、受信された識別子が「１２３」で受信された蓄積価値が「３００」の場合、サーバ蓄積部３２３は、ポイント「５００＋３００」を計算し、ポイント「８００」を識別子「１２３」と対に蓄積しても良い。サーバ蓄積部４２３は、通常、ＭＰＵやメモリ等から実現され得る。サーバ蓄積部４２３の処理手順は、通常、ソフトウェアで実現され、当該ソフトウェアはＲＯＭ等の記録媒体に記録されている。但し、ハードウェア（専用回路）で実現しても良い。
【０２３９】
サーバ処理部４２４は、サーバ受信部４２２が受信した消費関連情報が有する識別子と対になる価値情報と、消費関連情報が有する消費情報とから、料金の精算処理を行ない、精算処理の結果である精算結果を、識別子と対にして、サーバ格納部４２１に蓄積する。サーバ処理部４２４は、受信された消費関連情報が有する識別子と対になる価値情報をサーバ格納部４２１から取得し、当該価値情報から受信された消費情報を減じた価値情報を、消費関連情報が有する識別子と対に蓄積しても良い。サーバ処理部４２４は、通常、ＭＰＵやメモリ等から実現され得る。サーバ処理部４２４の処理手順は、通常、ソフトウェアで実現され、当該ソフトウェアはＲＯＭ等の記録媒体に記録されている。但し、ハードウェア（専用回路）で実現しても良い。
【０２４０】
サーバ送信部４２５は、サーバ処理部４２４の処理結果や、サーバ蓄積部４２３の処理結果等を料金精算装置４１に送信する。サーバ送信部４２５は、通常、無線または有線の通信手段で実現されるが、放送手段で実現されても良い。
【０２４１】
次に、料金精算システム４の動作について説明する。まず、料金精算装置４１の動作について、図１５のフローチャートを用いて説明する。図１５のフローチャートにおいて、図９のフローチャートと同一のステップについて説明を省略する。
【０２４２】
（ステップＳ１５０１）端末出力部４１４は、ユーザ媒体に格納されている識別子と蓄積価値取得部１３が取得した蓄積価値とを用いて、蓄積情報を構成し、当該蓄積情報をサーバ装置４２に送信する。
【０２４３】
（ステップＳ１５０２）端末受信部４１５は、サーバ装置４２から、後述する処理結果等を受信したか否かを判断する。処理結果等を受信すればステップＳ１５０３に行き、処理結果等を受信しなければステップＳ１５０２に戻る。
【０２４４】
（ステップＳ１５０３）端末出力部４１４は、端末受信部４１５が受信した処理結果を出力する。ステップＳ９０８に行く。
【０２４５】
なお、図１５のフローチャートにおいて、電源オフや処理終了の割り込みにより処理は終了する。
【０２４６】
次に、サーバ装置４２の動作について、図１６のフローチャートを用いて説明する。
【０２４７】
（ステップＳ１６０１）サーバ受信部４２２は、料金精算装置４１から蓄積情報を受信したか否かを判断する。蓄積情報を受信すればステップＳ１６０２に行き、受信しなければステップＳ１６０８に行く。
【０２４８】
（ステップＳ１６０２）サーバ蓄積部４２３は、ステップＳ１６０１で受信された蓄積情報が有する識別子を取得し、当該識別子と同一の識別子に対応する価値情報を、サーバ格納部３２１から取得する。
【０２４９】
（ステップＳ１６０３）サーバ蓄積部４２３は、ステップＳ１６０１で受信された蓄積情報が有する蓄積価値を取得する。
【０２５０】
（ステップＳ１６０４）サーバ蓄積部４２３は、ステップＳ１６０３で取得した蓄積価値とステップＳ１６０２で取得した価値情報とを用いて、新しい価値情報を取得する。例えば、サーバ蓄積部４２３は、ステップＳ１６０３で取得した蓄積価値「５００」とステップＳ１６０２で取得した価値情報「８００」とを用いて、新しい価値情報「５００＋８００＝１３００」を取得する。
【０２５１】
（ステップＳ１６０５）サーバ蓄積部４２３は、ステップＳ１６０４で取得した新しい価値情報を、受信された蓄積情報が有する識別子と同一の識別子に対応付けて、サーバ格納部４２１に蓄積する。サーバ蓄積部４２３は、例えば、新しい価値情報「１３００」を受信された蓄積情報が有する識別子と同一の識別子に対応付けて、サーバ格納部４２１に蓄積する。なお、サーバ蓄積部４２３は、ステップＳ１６０１で受信された蓄積情報が有する蓄積価値を、受信された蓄積情報が有する識別子と同一の識別子に対応付けて、サーバ格納部４２１に追記しても良い。なお、蓄積情報が有効期限情報を有する場合、サーバ蓄積部４２３は、蓄積価値と有効期限情報とを追記することは好適である。
【０２５２】
（ステップＳ１６０６）サーバ送信部４２５は、サーバ蓄積部４２３の処理結果（例えば、価値情報が「１３００」になった旨）を取得する。
【０２５３】
（ステップＳ１６０７）サーバ送信部４２５は、ステップＳ１６０６で取得した処理結果を、料金精算装置４１に送信する。ステップＳ１６０１に戻る。
【０２５４】
（ステップＳ１６０８）サーバ受信部４２２は、料金精算装置４１から消費関連情報を受信したか否かを判断する。消費関連情報を受信すればステップＳ１６０９に行き、受信しなければステップＳ１６０１に戻る。
【０２５５】
（ステップＳ１６０９）サーバ処理部４２４は、ステップＳ１６０８で受信された消費関連情報が有する識別子を取得し、当該識別子と同一の識別子と対になる価値情報を、サーバ格納部３２１から取得する。
【０２５６】
（ステップＳ１６１０）サーバ処理部４２４は、ステップＳ１６０８で受信された消費関連情報が有する消費情報を取得する。
【０２５７】
（ステップＳ１６１１）サーバ処理部４２４は、ステップＳ１６０９で取得した価値情報と、ステップＳ１６１０で取得した消費情報とから、料金の精算処理を行なう。例えば、サーバ処理部４２４は、ステップＳ１６０９で取得した価値情報（１２００円）と、ステップＳ１６１０で取得した消費情報（８００円）とから、料金の精算処理を行ない、残金（４００円）を算出する。そして、サーバ処理部４２４は、処理結果（４００円）を取得する。なお、この処理結果は、新しい価値情報である。
【０２５８】
（ステップＳ１６１２）サーバ処理部４２４は、新しい価値情報を、ステップＳ１６０８で受信された消費関連情報が有する識別子と同一の識別子と対応付けて、サーバ格納部４２１に蓄積する。
【０２５９】
（ステップＳ１６１３）サーバ送信部４２５は、サーバ処理部４２４の処理結果を構成する。処理結果は、例えば、残金（４００円）、または残金（４００円）と清算処理が完了した旨等である。
【０２６０】
（ステップＳ１６１４）サーバ送信部３２５は、ステップＳ１６１３で構成した処理結果を、料金精算装置４１に送信する。ステップＳ１６０１に戻る。
【０２６１】
なお、図１６のフローチャートにおいて、電源オフや処理終了の割り込みにより処理は終了する。
【０２６２】
以上、本実施の形態によれば、駐車チケット等の支払媒体を使用して駐車料金を支払う場合に、ユーザフレンドリーな支払方法が実現できる。
【０２６３】
また、本実施の形態によれば、サーバ装置３２を用いてポイント等を管理しているので、簡易な駐車料金精算装置３１の構成が実現可能である。
【０２６４】
なお、本実施の形態において、以下の料金精算装置について説明した。つまり、この料金精算装置は、料金の支払いのための媒体であり、一の金額の価値を有する媒体である支払媒体、および当該支払媒体に対応する価値から消費分の価値を差し引いた金額に対応する価値である蓄積価値を蓄積する媒体または蓄積先を特定する媒体であるユーザ媒体を受け付ける受付部と、消費した価値に関する情報である消費情報を取得する消費情報取得部と、前記支払媒体の価値を示す一の金額から前記消費情報が示す金額を差し引いた金額に対応する価値である蓄積価値を取得する蓄積価値取得部と、前記ユーザ媒体を用いて、前記蓄積価値を出力する端末出力部とを具備する料金精算装置である。
【０２６５】
また、この料金精算装置において、前記ユーザ媒体は、当該ユーザ媒体を識別する識別子を格納しており、前記端末出力部は、前記ユーザ媒体に格納されている識別子と、前記蓄積価値とを有する蓄積情報を、サーバ装置に送信することは好適である。
【０２６６】
また、この料金精算装置において、前記受付部がユーザ媒体を受け付けた場合であり、蓄積されている価値情報を消費する場合に、前記端末出力部は、前記ユーザ媒体に格納されている識別子と前記消費情報とを有する消費関連情報とを前記サーバ装置に送信することは好適である。
【０２６７】
また、この料金精算装置において、前記受付部は、料金の支払いのための媒体であり、一の金額の価値を有する媒体である支払媒体、および当該支払媒体に対応する価値から駐車料金分の価値を差し引いた金額に対応する価値である蓄積価値を蓄積するユーザ媒体である蓄積媒体を受け付け、前記端末出力部は、前記蓄積価値を前記蓄積媒体に追記することは好適である。
【０２６８】
また、この料金精算装置において、前記端末出力部は、前記蓄積価値を、当該蓄積価値の利用期限を示す利用期限情報と対にして出力することは好適である。
【０２６９】
また、この料金精算装置において、前記端末出力部は、前記支払媒体に記録されている利用期限情報を取得する利用期限取得手段と、前記蓄積価値を、当該蓄積価値の利用期限を示す利用期限情報と対にして出力する端末出力手段とを具備することは好適である。
【０２７０】
また、図１７は、本明細書で述べたプログラムを実行して、上述した種々の実施の形態の駐車料金精算装置、料金精算装置、サーバ装置を実現するコンピュータの外観を示す。上述の実施の形態は、コンピュータハードウェア及びその上で実行されるコンピュータプログラムで実現され得る。図１７は、このコンピュータシステム３００の概観図であり、図１８は、システム３００のブロック図である。
【０２７１】
図１７において、コンピュータシステム３００は、ＣＤ−ＲＯＭドライブを含むコンピュータ３０１と、キーボード３０２と、マウス３０３と、モニタ３０４ととを含む。
【０２７２】
図１８において、コンピュータ３０１は、ＣＤ−ＲＯＭドライブ３０１２に加えて、ＭＰＵ３０１３と、バス３０１４と、ＲＯＭ３０１５と、ＲＡＭ３０１６と、ハードディスク３０１７とを含む。なお、バス３０１４は、ＭＰＵ３０１３やＣＤ−ＲＯＭドライブ３０１２に接続されている。また、ＲＯＭ３０１５には、ブートアッププログラム等のプログラムが記憶されている。また、ＲＡＭ３０１６は、ＭＰＵ３０１３に接続され、アプリケーションプログラムの命令を一時的に記憶するとともに一時記憶空間を提供するためのものである。また、ハードディスク３０１７は、アプリケーションプログラム、システムプログラム、及びデータを記憶するためのものである。ここでは、図示しないが、コンピュータ３０１は、さらに、ＬＡＮへの接続を提供するネットワークカードを含んでも良い。
【０２７３】
コンピュータシステム３００に、上述した実施の形態の駐車料金精算装置等の機能を実行させるプログラムは、ＣＤ−ＲＯＭ３１０１に記憶されて、ＣＤ−ＲＯＭドライブ３０１２に挿入され、さらにハードディスク３０１７に転送されても良い。これに代えて、プログラムは、図示しないネットワークを介してコンピュータ３０１に送信され、ハードディスク３０１７に記憶されても良い。プログラムは実行の際にＲＡＭ３０１６にロードされる。プログラムは、ＣＤ−ＲＯＭ３１０１またはネットワークから直接、ロードされても良い。
【０２７４】
プログラムは、コンピュータ３０１に、上述した実施の形態の駐車料金精算装置等の機能を実行させるオペレーティングシステム、またはサードパーティープログラム等は、必ずしも含まなくても良い。プログラムは、制御された態様で適切な機能（モジュール）を呼び出し、所望の結果が得られるようにする命令の部分のみを含んでいれば良い。コンピュータシステム３００がどのように動作するかは周知であり、詳細な説明は省略する。
【０２７５】
なお、上記プログラムにおいて、情報を送信するステップや、情報を受信するステップなどでは、ハードウェアによって行われる処理、例えば、送信するステップにおけるモデムやインターフェースカードなどで行われる処理（ハードウェアでしか行われない処理）は含まれない。
【０２７６】
また、上記プログラムを実行するコンピュータは、単数であってもよく、複数であってもよい。すなわち、集中処理を行ってもよく、あるいは分散処理を行ってもよい。
【０２７７】
また、上記各実施の形態において、各処理（各機能）は、単一の装置（システム）によって集中処理されることによって実現されてもよく、あるいは、複数の装置によって分散処理されることによって実現されてもよい。
【０２７８】
本発明は、以上の実施の形態に限定されることなく、種々の変更が可能であり、それらも本発明の範囲内に包含されるものであることは言うまでもない。
【産業上の利用可能性】
【０２７９】
以上のように、本発明にかかる駐車料金精算装置は、駐車チケット等の支払媒体を使用して駐車料金を支払う場合に、ユーザフレンドリーな支払方法が実現できる、という効果を有し、駐車料金精算装置等として有用である。
【符号の説明】
【０２８０】
１、３１  駐車料金精算装置
２、４１  料金精算装置
３  駐車料金精算システム
４  料金精算システム
１０、２０  制御部
１１、２１  受付部
１２、２２  消費情報取得部
１３、２３  蓄積価値取得部
１３  消蓄積価値取得部
１４、３１４、４１４  端末出力部
３２、４２  サーバ装置
１２１  入場時刻取得手段
１２２  現在時刻取得手段
１２３  時間取得手段
１２４  消費情報取得手段
１４１、２４１  利用期限取得手段
１４２、２４２  追記手段
３１５、４１５  端末受信部
３２１、４２１  サーバ格納部
３２２、４２２  サーバ受信部
３２３、４２３  サーバ蓄積部
３２４、４２４  サーバ処理部
３２５、４２５  サーバ送信部
３１４２、４１４２  端末出力手段
【図１】
2015041192.tif 000003
【図２】
2015041192.tif 000004
【図３】
2015041192.tif 000005
【図４】
2015041192.tif 000006
【図５】
2015041192.tif 000007
【図６】
2015041192.tif 000008
【図７】
2015041192.tif 000009
【図８】
2015041192.tif 000010
【図９】
2015041192.tif 000011
【図１０】
2015041192.tif 000012
【図１１】
2015041192.tif 000013
【図１２】
2015041192.tif 000014
【図１３】
2015041192.tif 000015
【図１４】
2015041192.tif 000016
【図１５】
2015041192.tif 000017
【図１６】
2015041192.tif 000018
【図１７】
2015041192.tif 000019
【図１８】
2015041192.tif 000020